(57)【要約】【課題】互いの連携によって成立する複数の記憶媒体をその組合せを維持した状態での管理や各ＯＳ毎のデータの管理などを的確に行うこと等を可能とした情報処理装置、記憶媒体支持装置、及び識別体変位方法を提供する。【解決手段】記憶媒体支持装置１７は、複数の記憶媒体１５を着脱自在に支持可能であり、表示手段２１、ダイヤル部２２等を備える。情報処理装置１１は、記憶媒体支持装置１７を着脱自在に装着可能であり、ロータ部２４、ステッピングモータ部２５、表示パターン検知手段２６等を備える。情報処理装置１１は、記憶媒体支持装置１７の装着に伴い記憶媒体支持装置内の記憶媒体１５と電気的に接続し、記憶媒体１５に格納されたデータの内容を検出し、記憶媒体支持装置１７に外側から目視可能に配設された表示手段２１の表示パターンを、検出結果に対応する状態に設定する。【選択図】      図１
2004348922.tif 000002
【特許請求の範囲】
【請求項１】
記憶媒体を着脱可能に支持する記憶媒体支持装置が着脱可能に装着される情報処理装置であって、
前記記憶媒体支持装置が装着されたときに、前記記憶媒体支持装置内の前記記憶媒体と電気的に接続する接続手段と、
前記記憶媒体に格納されたデータの内容を前記接続手段を介して検出する内容検出手段と、
前記記憶媒体支持装置に目視可能に配設された識別体を、前記内容検出手段の検出結果に対応する状態に変位させる制御手段とを備えることを特徴とする情報処理装置。
【請求項２】
前記情報処理装置に装着された前記記憶媒体支持装置の前記識別体に変位力を伝達する駆動手段を備え、
前記内容検出手段は、前記記憶媒体支持装置に複数の記憶媒体が支持されている場合、少なくとも１つの記憶媒体にレイドアレイシステムを起動するためのシステムデータが有るか否かを検出し、
前記制御手段は、前記内容検出手段により前記システムデータが有ると検出された場合、前記駆動手段を介して前記識別体を前記システムデータ有りを示す状態に変位させることを特徴とする請求項１記載の情報処理装置。
【請求項３】
前記情報処理装置に装着された前記記憶媒体支持装置の前記識別体を検出する識別体検出手段と、
前記識別体検出手段の検出結果に基づき、前記記憶媒体支持装置内の前記記憶媒体に対するアクセス方法を選定する選定手段とを備えることを特徴とする請求項１記載の情報処理装置。
【請求項４】
前記識別体検出手段は、前記識別体の形状或いは色等の状態を検出することを特徴とする請求項３記載の情報処理装置。
【請求項５】
前記情報処理装置から前記記憶媒体支持装置が取り外される前に、予め、前記記憶媒体支持装置が取り外された状態のときに前記識別体を手動で変位可能とするか否かを設定する設定手段を備えることを特徴とする請求項１記載の情報処理装置。
【請求項６】
前記設定手段により、予め、前記記憶媒体支持装置が取り外された状態のときに前記識別体を手動で変位不可と設定されている場合、前記記憶媒体支持装置から前記記憶媒体の排出を禁止する禁止手段を備えることを特徴とする請求項５記載の情報処理装置。
【請求項７】
前記制御手段は、前記情報処理装置に装着された前記記憶媒体支持装置から前記記憶媒体が排出された場合、前記駆動手段を介して前記識別体を、前記記憶媒体支持装置から前記記憶媒体が排出されたことを示す状態に変位させることを特徴とする請求項２記載の情報処理装置。
【請求項８】
記憶媒体を着脱可能に支持すると共に情報処理装置に着脱可能に装着される記憶媒体支持装置であって、
筐体に目視可能に配設された識別体を備え、
前記情報処理装置へ装着されたときの前記情報処理装置の制御に基づき、前記記憶媒体に格納されたデータの内容を前記情報処理装置に伝達し、前記識別体が前記情報処理装置による前記データの内容の検出結果に対応する状態に変位することを特徴とする記憶媒体支持装置。
【請求項９】
前記識別体は、形状或いは色等で識別される表示パターンを有する回転体であることを特徴とする請求項８記載の記憶媒体支持装置。
【請求項１０】
複数の記憶媒体を着脱可能に支持することが可能であり、前記情報処理装置により前記複数の記憶媒体の少なくとも１つにレイドアレイシステムを起動するためのシステムデータが有ると検出された場合、前記情報処理装置の制御に基づき、前記識別体が前記システムデータ有りを示す状態に変位することを特徴とする請求項８記載の記憶媒体支持装置。
【請求項１１】
前記情報処理装置から前記記憶媒体支持装置が取り外される前に、予め、前記記憶媒体支持装置が取り外された状態のときに前記識別体を手動で変位可能とするか否かが前記情報処理装置により設定されることを特徴とする請求項８記載の記憶媒体支持装置。
【請求項１２】
前記記憶媒体支持装置が取り外された状態のときに前記識別体を手動で変位不可と設定された場合、前記記憶媒体支持装置から前記記憶媒体の排出が禁止されることを特徴とする請求項１１記載の記憶媒体支持装置。
【請求項１３】
前記記憶媒体支持装置から前記記憶媒体が排出された場合、前記識別体が前記記憶媒体支持装置から前記記憶媒体が排出されたことを示す状態に変位することを特徴とする請求項８記載の記憶媒体支持装置。
【請求項１４】
記憶媒体を着脱可能に支持する記憶媒体支持装置が着脱可能に装着される情報処理装置の識別体変位方法であって、
前記情報処理装置に前記記憶媒体支持装置を装着されたときに、前記記憶媒体支持装置内の前記記憶媒体と電気的に接続し、前記情報処理装置により前記記憶媒体に格納されたデータの内容を検出し、前記記憶媒体支持装置に対し外側から目視可能に配設された識別体を、前記情報処理装置による検出結果に対応する状態に変位させることを特徴とする識別体変位方法。
【発明の詳細な説明】
【０００１】
【発明の属する技術分野】
本発明は、例えばサーバ或いはパーソナルコンピュータ等の情報処理装置、情報処理装置に挿入及び排出が可能で且つハードディスク等の記憶媒体の挿入及び排出が可能な記憶媒体支持装置、及び記憶媒体支持装置に配設される識別体の識別体変位方法に関する。
【０００２】
【従来の技術】
近年の情報化社会の進展に伴い、サーバ或いはパーソナルコンピュータ等の情報処理装置には、ハードディスク等の記憶媒体を複数個収納することが可能な機種がある。即ち、情報処理装置で処理するデータ量の増大に対応するため、或いは、レイドアレイ（Ｒｅｄｕｎｄａｎｔ  Ａｒｒａｙｓ  ｏｆ  Ｉｎｅｘｐｅｎｓｉｖｅ  Ｄｉｓｋ）システムによる、障害の発生した記憶媒体のデータを冗長データを用いて自動的にスペアの記憶媒体上で修復し、スペアの記憶媒体の修復データを自動的に他の記憶媒体へコピーするデータバックアップ機能の追加に対応するため、複数の記憶媒体を収納可能な情報処理装置が開発されている。
【０００３】
更に、複数の記憶媒体を収納可能な情報処理装置では、その複数の記憶媒体を情報処理装置に対し挿入及び排出可能な機構を備えることで、複数の記憶媒体を情報処理装置の外部でも保管可能とすることにより、より多量のデータ或いは多様なデータを安全に保管することができる。
【０００４】
また、複数の記憶媒体を収納可能な情報処理装置から取り外された複数の記憶媒体を、情報処理装置の外部で保管する際は、保管される複数の記憶媒体に格納されているデータの内容を識別して管理する必要があるが、従来は、各々の記憶媒体上にラベルを貼り付けるなどの識別を施すことで、各々の記憶媒体ごとの管理を行っていた。
【０００５】
また、従来、情報処理装置に着脱可能に取り付けられるハードディスク装置が提案されている（例えば、特許文献１参照）。
【０００６】
【特許文献１】
特開２００１−２９１３１２号公報
【０００７】
【発明が解決しようとする課題】
しかしながら、上述した従来技術には次のような問題があった。上述したレイドアレイシステムのように複数の記憶媒体の連携によって成立するようなシステムでは、情報処理装置の外部で複数の記憶媒体を保管及び管理する場合、その個々の記憶媒体上に識別を施して保管する方法は、管理上からは有効ではない。
【０００８】
即ち、互いの連携によって成立する複数の記憶媒体は、情報処理装置の外部でもその組合せを維持した状態で保管されるべきであり、個々の記憶媒体の識別についても、複数の記憶媒体の組合せに対し識別を施して管理する方が有効である。また、異なるОＳ（Ｏｐｅｒａｔｉｎｇ  Ｓｙｓｔｅｍ）により作成されたデータは、各ОＳ毎にОＳとデータの組合せによる保管及び識別を行うと、管理がし易い。
【０００９】
更には、上述した従来技術による、記憶媒体上にラベルを貼り付けるなどの識別を施すことで記憶媒体の保管及び管理を行う方法では、情報処理装置の外部で保管及び管理されていた記憶媒体を情報処理装置に挿入し、情報処理装置で記憶媒体を起動する前に、記憶媒体に格納されているデータの検出及び判別を行うことができないので、記憶媒体に格納されているデータに適した起動処理（情報処理装置の起動及び記憶媒体に対するデータの書き込み／読み出し動作の起動を行う処理）を事前に準備することが不可能である。
【００１０】
本発明の目的は、互いの連携によって成立する複数の記憶媒体をその組合せを維持した状態での管理や各ＯＳ毎のデータの管理などを的確に行うこと等を可能とした情報処理装置、記憶媒体支持装置、及び識別体変位方法を提供することにある。
【００１１】
【課題を解決するための手段】
上述の目的を達成するため、本発明の情報処理装置は、記憶媒体を着脱可能に支持する記憶媒体支持装置が着脱可能に装着される情報処理装置であって、前記記憶媒体支持装置が装着されたときに、前記記憶媒体支持装置内の前記記憶媒体と電気的に接続する接続手段と、前記記憶媒体に格納されたデータの内容を前記接続手段を介して検出する内容検出手段と、前記記憶媒体支持装置に目視可能に配設された識別体を、前記内容検出手段の検出結果に対応する状態に変位させる制御手段とを備えることを特徴とする。
【００１２】
上述の目的を達成するため、本発明の記憶媒体支持装置は、記憶媒体を着脱可能に支持すると共に情報処理装置に着脱可能に装着される記憶媒体支持装置であって、筐体に目視可能に配設された識別体を備え、前記情報処理装置へ装着されたときの前記情報処理装置の制御に基づき、前記記憶媒体に格納されたデータの内容を前記情報処理装置に伝達し、前記識別体が前記情報処理装置による前記データの内容の検出結果に対応する状態に変位することを特徴とする。
【００１３】
【発明の実施の形態】
以下、本発明の実施の形態を図面を参照しながら説明する。
【００１４】
本実施の形態では、レイドアレイシステム（ディスクアレイシステム）に対応した情報処理装置と記憶媒体支持装置について説明する。
【００１５】
図５は、本実施の形態に係る記憶媒体支持装置１７を情報処理装置１１に装着した状態を示す一部を切り欠いた斜視図である。
【００１６】
図５において、情報処理装置１１は、コンピュータ装置もしくは電子データベース装置として構成されており、筐体の各部に、前面パネル部１２、外装蓋１３、開口部１４、各種コネクタジャック部１６を備えている。
【００１７】
情報処理装置１１において、前面パネル部１２は、情報処理装置１１の正面側に設けられており、情報処理装置１１の動作状態の表示を行う表示部及び操作を行うための操作部を備えている。外装蓋１３は、情報処理装置１１の上面に設けられており、開閉が可能である（図６参照）。開口部１４は、記憶媒体支持装置１７の挿入及び排出が行われる部分であり、外装蓋１３により開閉される。各種コネクタジャック部１６は、情報処理装置１１に他の電子機器を接続し両者間で下記に示すような各種データの送受信を行う際に使用される。
【００１８】
記憶媒体支持装置１７は、情報処理装置１１に対し挿入及び排出（着脱）が可能に装着されている。記憶媒体支持装置１７には、複数（例えば４つ）の記憶媒体１５が支持されている。記憶媒体１５は、記憶媒体支持装置１７に対し挿入及び排出（着脱）が可能であり、例えば電子手帳や電子カメラなどの各電子機器において蓄積された電子データ、或いはアプリケーションプログラム、ＯＳシステムデータ等を格納しており、情報処理装置１１によりこれらの各種データの書き込み及び読み出しが可能である。
【００１９】
図６は、記憶媒体支持装置１７を情報処理装置１１から排出した状態を示す斜視図である。
【００２０】
図６において、記憶媒体支持装置１７は、複数の記憶媒体１５を一括して支持（収納）可能なバスケット状の形状を有しており、複数の記憶媒体１５に各々対応して設けられた記憶媒体収納部１９と、取っ手１８と、表示手段２１（識別体）を備えている。取っ手１８は、折りたたみ可能であり（図５参照）、記憶媒体支持装置１７に対する取付部１８ａ、１８ｂを回動中心として回動可能に、記憶媒体支持装置１７の上部に設けられている。情報処理装置１１の外装蓋１３を開き、記憶媒体支持装置１７の取っ手１８を保持することで、記憶媒体支持装置１７を情報処理装置１１に対し開口部１４を介して着脱することが可能である。表示手段２１については後述する。
【００２１】
記憶媒体支持装置１７が情報処理装置１１に装着されると、記憶媒体支持装置１７に支持された複数の記憶媒体１５は、情報処理装置１１に設けられたそれぞれ対応するコネクタ部（図示略、接続手段）へ電気的に接続される。この電気的接続に伴い、情報処理装置１１のＣＰＵ（後述）により、それぞれの記憶媒体１５に格納されている各種データの内容の検出が可能となる。また、情報処理装置１１のＣＰＵにより、それぞれの記憶媒体１５に対する各種データの書き込み及び読み出しを行うことができる。
【００２２】
図２は、記憶媒体支持装置１７において表示手段２１により記憶媒体１５にシステムデータが有ることを表示している状態を示す斜視図であり、図３は、記憶媒体支持装置１７において表示手段２１により記憶媒体１５にシステムデータが無いことを表示している状態を示す斜視図である。
【００２３】
図２及び図３において、記憶媒体支持装置１７は、レイドアレイシステムの設定状態を表示する例えば円柱形状の表示手段２１（図７参照）（識別体）と、ダイヤル部２２（識別体変位手段）を備えている。表示手段２１は、記憶媒体支持装置１７の筐体に形成された切欠部２０を介して外側より目視することが可能に配設されている。ダイヤル部２２は、表示手段２１と連結されており（図１参照）、該ダイヤル部２５を指で回すことにより表示手段２１を手動で、もしくは後述のステッピングモータ部２５を介して自動で回転可能とするためのものである。
【００２４】
更に、表示手段２１は、その回転表面に複数の表示パターンを有している。表示手段２１の表示パターンの表示例として、記憶媒体支持装置１７に支持されている各記憶媒体に格納されているデータがどのようなデータであるか、換言すれば、各記憶媒体が、例えば、レイドシステムを起動するためのシステムデータを記憶したレイドシステムディスク、通常のデータを記憶したデータディスク、未使用ディスク、更にどれにも当てはまらないディスクの何れであるかを表示させることができる。また、表示手段２１の表示パターンを光学的に読み取りができるように設定することも可能であるし、表示パターンの表面に凹凸をつける等により表示パターンを機械的に認識することも可能である。
【００２５】
図２及び図３に示すように、図２の表示パターン（例えば矩形状のパターンを２つ配列）と、図３の表示パターン（例えば矩形状のパターンを３つ配列）とが異なることがわかる。
【００２６】
図４は、記憶媒体支持装置１７から記憶媒体１５を排出した状態を示す斜視図である。
【００２７】
図４において、記憶媒体支持装置１７の上面には、複数の記憶媒体収納部１９にそれぞれ対応して複数のイジェクトボタン２３が配設されている。操作者がイジェクトボタン２３を押下操作すると、記憶媒体収納部１９に収納されている記憶媒体１５を排出することができる。これにより、記憶媒体支持装置１７に対する記憶媒体１５の交換が可能である。他の記憶媒体収納部１９に収納されている他の記憶媒体も同様に、それぞれ対応するイジェクトボタン２３の押下操作により交換が可能である。
【００２８】
図１は、記憶媒体支持装置１７を情報処理装置１１に装着した状態を示す一部を切り欠いた斜視図である。
【００２９】
図１において、情報処理装置１１は、ロータ部２４、ステッピングモータ部２５、表示パターン検知手段２６を備えている。
【００３０】
ロータ部２４は、記憶媒体支持装置１７が情報処理装置１１に装着された状態において、記憶媒体支持装置１７側の表示手段２１に連結されているダイヤル部２２と接触するように設定されている。ダイヤル部２２は、上述したように手動（指）で回転可能に構成されていると共に、その表面にはローレット（刻み目）或いは溝等が形成されている。ロータ部２４も、ステッピングモータ部２５により回転可能に構成されていると共に、ダイヤル部２２と同様に、その表面にはローレット或いは溝等が形成されている。これにより、ロータ部２４とダイヤル部２２との間の回転力の伝達を容易にしている。
【００３１】
尚、ダイヤル部２２、ロータ部２４にそれぞれギア（図示略）を設け、それぞれのギアの噛み合いにより回転力を伝達することも可能である。この場合は、それぞれのギアの歯数により減速比を自由に設定することができる。
【００３２】
ステッピングモータ部２５は、ロータ部２４と連結されており、モータ回転力をロータ部２４に伝達することでロータ部２４を回転駆動し、ロータ部２４及びダイヤル部２２を介して表示手段２１を回転させることが可能である。表示パターン検知手段２６は、表示手段２１の表示パターンを検知するものである。表示パターン検知手段２６の検知方式としては、光学的な検知方式、機械的な検知方式、電気的な検知方式等、どのような検知方式でも良い。
【００３３】
図９は、情報処理装置１１の概略構成を示すブロック図である。
【００３４】
図９において、情報処理装置１１は、ＣＰＵ４１（内容検出手段、制御手段、選定手段、設定手段）、ＲＯＭ４２、ＲＡＭ４３、入出力部４４（接続手段）、表示パターン検知手段２６（識別体検出手段）、表示部４５、操作部４６を備えている。
【００３５】
ＣＰＵ４１は、情報処理装置全体の制御を司るものであり、情報処理装置１１に記憶媒体支持装置１７が装着された状態において、記憶媒体支持装置１７に支持されている記憶媒体１５に格納されたデータの内容を上記コネクタ部を介して検出し、その検出結果に基づきステッピングモータ部２５（駆動手段）を回転駆動し表示手段２１の表示パターンの設定を行うなど、後述するような各種制御を行う。ＲＯＭ４２は、ＣＰＵ４１により実行される制御プログラムや固定データを格納している。ＲＡＭ４３は、ＣＰＵ４１のワーク領域やデータの一時記憶領域として使用される。
【００３６】
入出力部４４は、情報処理装置１１に装着された記憶媒体支持装置１７に支持されている記憶媒体１５との間のデータの入出力を司るものであり、上記コネクタ部を含む。表示パターン検知手段２６は、上述したように記憶媒体支持装置１７側の表示手段２１の表示パターンを検知する。表示部４５は、情報処理装置１１の動作状態を表示する。操作部４６は、情報処理装置１１に対し各種操作を行うためのものである。表示部４５及び操作部４６は、図５及び図６で説明した前面パネル部１２を構成する表示部及び操作部に対応する。尚、図９では便宜上、記憶媒体１５は１つだけ図示している。
【００３７】
記憶媒体支持装置１７は、情報処理装置１１に装着された状態において、情報処理装置１１から上記コネクタ部を介して出力される検出信号に基づき、記憶媒体支持装置１７内の記憶媒体１５に格納されているデータの内容を情報処理装置１１に伝達する機能を備えている。
【００３８】
次に、情報処理装置１１及び記憶媒体支持装置１７の動作について説明する。
【００３９】
情報処理装置１１に対し、複数の記憶媒体１５を支持（収納）した記憶媒体支持装置１７が装着されると、図５及び図６で説明したように、記憶媒体支持装置１７に支持されている複数の記憶媒体１５は、情報処理装置１１に装備されている複数のコネクタ部へ電気的にそれぞれ接続される。情報処理装置１１のＣＰＵ４１は、各記憶媒体１５内に格納されているデータの内容を検出し、更に、各記憶媒体１５のうちの少なくとも１つの記憶媒体にレイドアレイシステムを起動するためのシステムデータが有るか否かを調べる。
【００４０】
情報処理装置１１のＣＰＵ４１は、上記システムデータの有無に応じて、記憶媒体支持装置１７が備える表示手段２１の表示パターンを、レイドアレイシステムが設定されている状態（システムデータが有る状態）、或いはレイドアレイシステムが設定されていない状態（システムデータが無い状態）にする制御を行う。ここで、図２は各記憶媒体１５のうちの少なくとも１つの記憶媒体にシステムデータが有る場合の表示パターンを示しており、図３は各記憶媒体１５のうちの少なくとも１つの記憶媒体にシステムデータが無い場合の表示パターンを示している。
【００４１】
具体的には、情報処理装置１１のＣＰＵ４１の命令により、ステッピングモータ部２５を回転させることで、ロータ部２４及びダイヤル部２２を介して表示手段２１を所定の位置まで回転させる。更に、表示パターン検知手段２６により表示手段２１の表示パターンが上記所定の位置にあることを検知すると、ステッピングモータ部２５の回転を停止させる。
【００４２】
この場合、表示パターン検知手段２６による表示パターンの検知対象としては、本実施の形態のように表示パターンの形状の他に、位相、変位、シンボル（例えば識別用マークなど）、色などがある。また、上述したように、表示パターン検知手段２６の検知方式は、光学的な検知方式、機械的な検知方式、電気的な検知方式等、どのような検知方式でも良い。
【００４３】
記憶媒体支持装置１７の表示手段２１の表示パターンが上記のように設定されている状態で、操作者が記憶媒体支持装置１７を情報処理装置１１から取り外した場合、図２及び図３で説明したように、操作者は表示手段２１の表示パターンを目視することで、記憶媒体支持装置１７のレイドアレイシステムの設定状態を確認することができる。記憶媒体支持装置１７が複数個ある場合においても、表示手段２１の表示パターンにより、それぞれの記憶媒体支持装置１７のレイドアレイシステムの設定状態を判別できるので、使い勝手が良好である。
【００４４】
また、操作者が取り外されていた記憶媒体支持装置１７を情報処理装置１１に装着した場合、情報処理装置１１は、始めに表示パターン検知手段２６により表示手段２１の表示パターンを検知する。これにより、情報処理装置１１のＣＰＵ４１は記憶媒体支持装置１７のレイドアレイシステムの設定状態を確認し、システムデータの有無を調べる。情報処理装置１１のＣＰＵ４２はこれらの検知結果に基づいて、それぞれの記憶媒体１５へのアクセス方法を選定する。従って、複数の記憶媒体１５を支持した記憶媒体支持装置１７が情報処理装置１１に装着された後、各記憶媒体１５に対しいきなり誤ったアクセス方法が使用されることを防止でき、記憶媒体内のデータの安全性が確保される。
【００４５】
また、操作者が独自に記憶媒体支持装置１７内の記憶媒体を別の記憶媒体と交換する場合などは、交換した別の記憶媒体の設定状態などに合わせ、表示手段２１の表示パターンを変更することが可能である。具体的には、操作者が記憶媒体支持装置１７のダイヤル部２２を回転させることで、ダイヤル部２２に連結された表示手段２１を回転させ、表示パターンを変更する。
【００４６】
次に、記憶媒体支持装置１７が情報処理装置１１から取り外されている状態で、操作者の誤りで表示手段２１の表示パターンが変更されてしまうことが懸念される場合があるが、その場合の対策方法として次のような例を挙げることができる。
【００４７】
図７は、記憶媒体支持装置１７を情報処理装置１１に装着した状態を示す一部を切り欠いた斜視図であり、図８は、図７の要部を抜粋して示した斜視図である。尚、表示手段２１の周りのダイヤル部２２、ロータ部２４、表示パターン検知手段２６等の構成は図１に示した構成と同じである。
【００４８】
図７及び図８において、表示手段止め穴３１は、表示手段２１の側面に形成された穴であり、表示手段２１のそれぞれの表示パターンの位相に合わせて設けられている。ロックピン３２は、表示手段止め穴３１と嵌合することで表示手段２１の回転を止める部材である。ロック板３３は、ロックピン３２を有する部材であり、図８に矢印で示す左右方向の直線状に往復運動可能なように記憶媒体支持装置１７内部に設けられている。ロック板移動モータ部３４は、ロック板３３を移動させるためのモータであり、正逆回転が可能であり、情報処理装置１１内部に設けられている。
【００４９】
ロック板移動用レバー３５は、ロック板移動モータ部３４の回転軸に連結されたレバーであり、その先端部が記憶媒体支持装置１７の側面の隙間よりロック板３３と係合しあうように設定されている。イジェクト規制部３６は、ロック板３３に設けられた部材であり、規制部分と非規制部分を有する。イジェクトレバー３７は、イジェクトボタン２３に連結された部材であり、イジェクト規制部３６の規制部分に対応した位置に切り欠き形状を有する。
【００５０】
次に、情報処理装置１１及び記憶媒体支持装置１７の動作について説明する。
【００５１】
情報処理装置１１から記憶媒体支持装置１７が取り外される前に、予め、情報処理装置１１の前面パネル１２からの操作者の指定に基づいて、情報処理装置１１のＣＰＵ４１により、情報処理装置１１から記憶媒体支持装置１７が取り外されている状態のときに表示手段２１の表示パターンを手動により変更可能な状態もしくは変更不可能な状態に設定しておく。
【００５２】
表示手段２１の表示パターンが手動により変更可能な状態に設定されている場合は、ロック板移動モータ３４が正回転（図８においてモータ回転軸側より見て時計回り）し、ロック板移動レバー３５を介してロック板３３が移動する。これに伴い、ロックピン３２の先端が表示手段２１の表示手段止め穴３１から外れ、表示手段２１が回転可能となるため、表示手段２１の表示パターンを手動で変更することが可能となる。更に、この動作後に続けて、ロック板移動用レバー３５がロック板移動モータ３４により回転して退避位置（図８に示す位置から例えば１８０度回転した位置）へ移動するため、記憶媒体支持装置１７が情報処理装置１１から排出される際に、ロック板移動用レバー３５と記憶媒体支持装置１７は干渉しない。
【００５３】
このときのロック板３３の移動（図８において左方向への移動）により、イジェクト規制部３６の非規制部分とイジェクトレバー３７の切り欠き形状部分が対応することで、イジェクトボタン２３の押下操作が可能な状態になっている。これにより、表示手段２１の表示パターンを手動で変更可能なことに加え、記憶媒体支持装置１７に対し記憶媒体１５の交換が可能となる。
【００５４】
表示手段２１の表示パターンが手動により変更不可能な状態に設定されている場合は、ロック板移動モータ３４が逆回転（図８においてモータ回転軸側より見て反時計回り）し、ロック板移動レバー３５を介してロック板３３が上述した説明とは反対方向へ移動する。これに伴い、ロックピン３２の先端が表示手段２１の表示手段止め穴３１に嵌合し、表示手段２１の回転が阻止されるため、表示手段２１の表示パターンを手動で変更することが不可能となる。更に、この動作後に続けて、ロック板移動用レバー３５がロック板移動モータ３４により回転して退避位置へ移動するため、記憶媒体支持装置１７が情報処理装置１１から排出される際に、ロック板移動用レバー３５と記憶媒体支持装置１７は干渉しない。
【００５５】
このときのロック板３３の反対方向への移動（図８において右方向への移動）により、イジェクト規制部３６（禁止手段）の規制部分とイジェクトレバー３７の切り欠き形状部分が対応することで、イジェクトボタン２３の押下操作が不可能な状態になっている。これにより、操作者の誤りで表示手段２１の表示パターンが変更されることを防止できるのに加え、記憶媒体支持装置１７に対する記憶媒体１５の交換を禁止することで、表示手段２１の表示パターンとその表示パターンに対応した設定状態との整合性を保つことができる。
【００５６】
また、上述した、操作者の誤りで記憶媒体支持装置１７の表示手段２１の表示パターンが変更されることが懸念される場合の対策方法とは別の対策方法として、次のような例を挙げることができる。
【００５７】
記憶媒体支持装置１７からある記憶媒体を排出し別の記憶媒体と交換するときに、操作者が記憶媒体支持装置１７の或るイジェクトボタン２３を押下操作した際、その動作に連動して表示手段２１が回転し、図２及び図３に示した表示パターンの形状と異なる表示パターン（少なくとも１つの記憶媒体が排出されたことを示す表示パターン）を表示させる。その後、該表示パターンに設定された記憶媒体支持装置１７が情報処理装置１１に装着された場合は、表示パターン検知手段２６による該表示パターンの検知に基づき、情報処理装置１１の初期状態として、記憶媒体支持装置１７内の記憶媒体におけるシステムデータの有無を調べる処理から開始するように構成することで、操作者の誤りで表示パターンが変更されることが懸念される場合に対する対策方法とすることも考えられる。
【００５８】
以上説明したように、本実施の形態によれば、次のような各種の効果を奏する。
【００５９】
（１）情報処理装置１１に装着された記憶媒体支持装置１７に外側から目視可能に配設された表示手段２１の表示パターンを、記憶媒体支持装置内の記憶媒体に格納されたデータ内容の検出結果に対応する状態に設定（複数の記憶媒体の少なくとも１つにレイドアレイシステムを起動するためのシステムデータが有る場合、表示パターンをシステムデータ有りを示す状態に設定）するため、記憶媒体支持装置内の複数の記憶媒体の組合せに対する識別（例えば、複数の記憶媒体がレイドアレイシステムの組合せであるのか、記憶媒体に格納されたデータが他のＯＳにより作成されたデータであるのかの識別）、また、記憶媒体内のデータを別のデータに変更した場合（例えば、ＯＳを変更して記憶媒体にデータを入れ直した場合）等に対する識別を、情報処理装置１１により記憶媒体支持装置１７の表示手段２１の表示パターンとして施すことができ、この施された表示パターンを情報処理装置外部から確認することができる。これにより、互いの連携によって成立する複数の記憶媒体をその組合せを維持した状態での管理や各ＯＳ毎のデータの管理などを的確に行うことが可能となる。
【００６０】
（２）また、情報処理装置１１の表示パターン検知手段２６による、記憶媒体支持装置１７の表示手段２１の表示パターンの検出結果に基づき、記憶媒体支持装置内の記憶媒体に対するアクセス方法を選定するため、記憶媒体支持装置１７が情報処理装置１１に装着された後、情報処理装置１１により記憶媒体支持装置１７内の各記憶媒体に対しいきなり誤ったアクセス方法が使用されることを防止でき、記憶媒体内のデータの安全性を確保することができる。
【００６１】
（３）また、情報処理装置外部で保管及び管理されていた単数或いは複数の記憶媒体に格納されたデータや記憶媒体の組合せに対応させて、記憶媒体支持装置１７の表示手段２１の表示パターンを設定しておき、単数或いは複数の記憶媒体を支持した記憶媒体支持装置１７が情報処理装置１１に装着された際、記憶媒体支持装置１７の表示手段２１の表示パターンを情報処理装置１１で検出することにより、情報処理装置１１において、記憶媒体支持装置１７内の記憶媒体に格納されたデータに適した起動処理（情報処理装置１１の起動及び記憶媒体に対するデータの書き込み／読み出し動作の起動を行う処理）を事前に準備することが可能となると共に、記憶媒体に対するデータの書き込み／読み出し動作を迅速に開始することが可能となる。
【００６２】
（４）また、情報処理装置１１から記憶媒体支持装置１７が取り出された状態のときに表示手段２１の表示パターンを手動で変更可能にするか否かを、情報処理装置１１側で設定できるため、例えば、情報処理装置１１においてデータが記憶された後に情報処理装置外部で保管及び管理される複数の記憶媒体の組合せ或いは単数の記憶媒体を記憶媒体支持装置１７に収納し、記憶媒体支持装置１７を別の情報処理装置に装着してデータの変更を行うような危険性を避けることができる。
【００６３】
（５）また、情報処理装置外部で保管及び管理される記憶媒体の使用年数期限等の理由で、記憶媒体に格納されたデータを別の記憶媒体にコピーしたり或いは当該記憶媒体を別の記憶媒体に交換したりするなど、情報処理装置外部でデータ変更を行うような場合においても、そのデータ変更と対応して記憶媒体の保管及び管理を行うために、記憶媒体支持装置１７の表示手段２１の表示パターンの設定を、情報処理装置外部で手動で変更することが可能となる。
【００６４】
（６）また、記憶媒体支持装置１７が情報処理装置１１から取り出された状態のときに記憶媒体支持装置１７の表示手段２１の表示パターンを手動で変更不可に設定されている場合、記憶媒体を記憶媒体支持装置１７から単体で排出させないようにするため、表示手段２１の表示パターンとその表示パターンに対応した設定状態との整合性を保つことができる。
【００６５】
（７）また、記憶媒体支持装置１７が情報処理装置１１に装着された状態で記憶媒体支持装置１７から記憶媒体を単体で排出した場合、少なくとも１つの記憶媒体が記憶支持装置１７から排出されたことを、記憶媒体支持装置１７の表示手段２１の表示パターンにより表示するため、操作者の誤りで表示パターンが変更されることが懸念される場合の対策とすることができる。
【００６６】
尚、上記実施の形態では、記憶媒体支持装置１７に配設する表示手段２１の表示パターンを図２及び図３に示すような矩形状としたが、矩形状に限定されず、任意の形状（例えば円形状など）とすることが可能である。また、表示パターンをマークなどのシンボルで表したり、色で表したりしてもよい。また、表示手段２１を円柱形状としたが、円柱形状に限定されず、任意の形状（例えば三角柱形状や四角柱形状など）とすることが可能である。
【００６７】
また、上記実施の形態では、情報処理装置１１に対し、筐体上面から記憶媒体支持装置１７を着脱する構成としたが、情報処理装置１１に対し、例えば前面パネル１２配設側とは反対側の面から記憶媒体支持装置１７を着脱する構成としてもよい。この場合、記憶媒体支持装置１７に対する記憶媒体の交換のため、筐体上面の外装蓋１３付きの開口部１４も設けておけばよい。
【００６８】
また、上記実施の形態では、情報処理装置１１に装着された記憶媒体支持装置１７の表示手段２１の表示パターンの、表示パターン検知手段２６による検知結果を、情報処理装置１１の前面パネル部１２に表示するようにしてもよい。
【００６９】
【発明の効果】
以上詳細に説明したように、本発明によれば、情報処理装置に装着された記憶媒体支持装置に目視可能に配設された識別体を、記憶媒体支持装置内の記憶媒体に格納されたデータ内容の検出結果に対応する状態に変位（複数の記憶媒体の少なくとも１つにレイドアレイシステムを起動するためのシステムデータが有る場合、識別体をシステムデータ有りを示す状態に変位）させるため、記憶媒体支持装置内の複数の記憶媒体の組合せに対する識別や、記憶媒体内のデータを別のデータに変更した場合等に対する識別を、情報処理装置により記憶媒体支持装置の識別体の変位として施すことができ、この施された識別を情報処理装置外部から確認することができる。これにより、互いの連携によって成立する複数の記憶媒体をその組合せを維持した状態での管理や各ＯＳ毎のデータの管理などを的確に行うことが可能となる。
【００７０】
また、情報処理装置外部で保管及び管理されていた単数或いは複数の記憶媒体に格納されたデータや記憶媒体の組合せに対応させて、記憶媒体支持装置の識別体の状態を設定しておき、単数或いは複数の記憶媒体を支持した記憶媒体支持装置が情報処理装置に装着された際、記憶媒体支持装置の識別体を情報処理装置で検出することにより、情報処理装置において、記憶媒体支持装置内の記憶媒体に格納されたデータに適した起動処理を事前に準備することが可能となると共に、記憶媒体に対するデータの書き込み／読み出し動作を迅速に開始することが可能となる。
【００７１】
また、情報処理装置による記憶媒体支持装置の識別体の検出結果に基づき、記憶媒体支持装置内の記憶媒体に対するアクセス方法を選定するため、記憶媒体支持装置が情報処理装置に装着された後、情報処理装置により記憶媒体支持装置内の記憶媒体に対しいきなり誤ったアクセス方法が使用されることを防止でき、記憶媒体内のデータの安全性を確保することができる。
【００７２】
また、情報処理装置から記憶媒体支持装置が取り出された状態のときに識別体を手動で変位可能にするか否かを、当該情報処理装置側で設定できるため、例えば、当該情報処理装置においてデータが記憶された後に当該情報処理装置外部で保管及び管理される複数の記憶媒体の組合せ或いは単数の記憶媒体を記憶媒体支持装置に収納し、記憶媒体支持装置を別の情報処理装置に装着してデータの変更を行うような危険性を避けることができる。
【００７３】
また、情報処理装置外部で保管及び管理される記憶媒体の使用年数期限等の理由で、記憶媒体に格納されたデータを別の記憶媒体にコピーしたり或いは当該記憶媒体を別の記憶媒体に交換したりするなど、情報処理装置外部でデータ変更を行うような場合においても、そのデータ変更と対応して記憶媒体の保管及び管理を行うために、記憶媒体支持装置の識別体の設定を、情報処理装置外部で手動で変更することが可能となる。
【００７４】
また、情報処理装置から記憶媒体支持装置が取り外された状態のときに識別体を手動で変位不可と情報処理装置で設定された場合、記憶媒体支持装置から記憶媒体の排出を禁止するため、識別体の状態とそれに対応した設定との整合性を保つことができる。
【００７５】
また、情報処理装置に装着された記憶媒体支持装置から記憶媒体が排出された場合、識別体を、記憶媒体支持装置から記憶媒体が排出されたことを示す状態に変位させるため、操作者の誤りで識別体の設定状態が変更されることが懸念される場合の対策とすることができる。
【図面の簡単な説明】
【図１】本発明の実施の形態に係る記憶媒体支持装置を情報処理装置に装着した状態を示す一部を切り欠いた斜視図である。
【図２】記憶媒体支持装置において表示手段により記憶媒体にシステムデータが有ることを表示している状態を示す斜視図である。
【図３】記憶媒体支持装置において表示手段により記憶媒体にシステムデータが無いことを表示している状態を示す斜視図である。
【図４】記憶媒体支持装置から記憶媒体を排出した状態を示す斜視図である。
【図５】記憶媒体支持装置を情報処理装置に装着した状態を示す一部を切り欠いた斜視図である。
【図６】記憶媒体支持装置を情報処理装置から排出した状態を示す斜視図である。
【図７】記憶媒体支持装置を情報処理装置に装着した状態を示す一部を切り欠いた斜視図である。
【図８】図７の要部を抜粋して示した斜視図である。
【図９】情報処理装置の概略構成を示すブロック図である。
【符号の説明】
１１  情報処理装置
１２  前面パネル部
１５  記憶媒体
１７  記憶媒体支持装置
２１  表示手段
２２  ダイヤル部
２３  イジェクトボタン
２４  ロータ部
２５  ステッピングモータ部
２６  表示パターン検知手段
３１  表示手段止め穴
３２  ロックピン
３３  ロック板
３４  ロック板移動用モータ
３５  ロック板移動用レバー
３６  イジェクト規制部
３７  イジェクトレバー
４１  ＣＰＵ
【図１】
2004348922.tif 000003
【図２】
2004348922.tif 000004
【図３】
2004348922.tif 000005
【図４】
2004348922.tif 000006
【図５】
2004348922.tif 000007
【図６】
2004348922.tif 000008
【図７】
2004348922.tif 000009
【図８】
2004348922.tif 000010
【図９】
2004348922.tif 000011